(57)【要約】【課題】  副番号への着信を鳴動していないグループ電話端末がピッキングで着信に応答する場合、着信の副番号を知らなくても着信に応答することができるようにする。【解決手段】  固有の主番号と共有グループの副番号が付けられた複数のＶｏＩＰ電話端末５，６，７，８，９を有し、外線より前記副番号への着信があるとき、着信中の副番号のグループに属するＶｏＩＰ電話端末は着信の報知を行い、着信中の副番号のグループに属しないＶｏＩＰ電話端末には着信中の副番号が報知されず、且つ、着信中の副番号のグループに属しないＶｏＩＰ電話端末であっても着信中の副番号を指定することにより該着信に応答して前記外線と通話が可能となるＶｏＩＰ電話システムにおいて、  前記着信中の副番号のグループに属しないＶｏＩＰ電話端末は着信中の副番号のグループに属するＶｏＩＰ電話端末の主番号を指定することにより着信に応答する。【選択図】        図１
2005110099.tif 000002
【特許請求の範囲】
【請求項１】
固有の主番号と共有グループの副番号が付けられた複数のグループ電話端末を有し、外線より前記副番号への着信があるとき、着信中の副番号のグループに属するグループ電話端末は着信の報知を行い、着信中の副番号のグループに属しないグループ電話端末には着信中の副番号が報知されず、且つ、着信中の副番号のグループに属しないグループ電話端末であっても着信中の副番号を指定することにより該着信に応答して前記外線と通話が可能となるグループ電話システムにおいて、
前記着信中の副番号のグループに属しないグループ電話端末は着信中の副番号のグループに属するグループ電話端末の主番号を指定することにより着信に応答することを特徴とするグループ電話システム。
【請求項２】
前記グループ電話端末はＳＩＰの呼制御を行うＶｏＩＰ電話端末であることを特徴とする請求項１に記載のグループ電話システム。
【発明の詳細な説明】
【技術分野】
【０００１】
本発明は、共有グループの副番号の着信をピックアップするグループ電話システムに関するものである。
【背景技術】
【０００２】
現在、ＶｏＩＰ（Voice over Internet Protocol）システムが市販されている。ＶｏＩＰシステムの代表的な呼制御プロトコルとしてＳＩＰ（Session Initiation Protocol）がある。このＳＩＰの呼制御にはCall Pickupと呼ばれる制御がある。グループのＶｏＩＰ電話端末は固有の主番号（Primary番号）と共有グループの副番号（shared番号）を有することができる。副番号は複数有することができ、夫々独立したグループを形成することができる。主番号に着信があった場合はそのＶｏＩＰ電話端末のみ鳴動する。副番号に着信があった場合は着信したグループに属するＶｏＩＰ電話端末が鳴動する。そして、Call Pickupにより、鳴動していないグループのＶｏＩＰ電話端末であっても、着信している副番号を入力してピックアップ操作を行えばこの着信に応答して通話を行うことができる。
【０００３】
このCall Pickupの動作はインターネット（例えば、非特許文献１参照。）からダウンロードすることができるdraft-ietf-sipping-service-examples-04j.txtに記載されている。
http://www.softfront.co.jp/tech/sip#rfc#draft.html
【非特許文献１】インターネット＜URL：http://www.softfront.co.jp/tech/ietfdoc/trans/draft-ietf-sipping-service-examples-04j.txt＞
【発明の開示】
【発明が解決しようとする課題】
【０００４】
しかしながら、従来は、鳴動していないＶｏＩＰ電話端末には着信中の副番号が表示されないために、鳴動中のＶｏＩＰ電話端末の場所に行って副番号を調べ、鳴動していないＶｏＩＰ電話端末に戻って副番号を入力しなければならないという問題があった。
【課題を解決するための手段】
【０００５】
上記目的を達成するために本発明は、着信中の副番号のグループに属しないグループ電話端末は着信中の副番号のグループに属するグループ電話端末の主番号を指定することにより着信に応答して通話可能になることである。
【発明の効果】
【０００６】
本発明によれば、上述の構成により、着信中の副番号のグループに属しないグループ電話端末は着信中の副番号でなく、鳴動中のグループ電話端末の主番号を入力すれば着信に応答する。したがって、鳴動中のグループ電話端末の主番号を知っていれば、着信の副番号を知らなくても着信に応答することができる。例えば、鳴動中のグループ電話端末まで行って副番号を調べる必要はない。
【発明を実施するための最良の形態】
【０００７】
本発明の実施の形態を図面に基づき説明する。図１は本実施例のＶｏＩＰシステムの要部を示すブロック図である。インターネット網（１）にルータ（２）が接続される。このルータ（２）にゲートウェイ（３）、サーバ（４）、ＶｏＩＰ電話端末Ａ（５）、ＶｏＩＰ電話端末Ｂ（６）とＶｏＩＰ電話端末Ｃ（７）、ＶｏＩＰ電話端末Ｄ（８）とＶｏＩＰ電話端末Ｅ（９）がＬＡＮ接続される。ゲートウェイ（３）は加入電話網（８）を介して加入者電話端末（９）（通常の電話機）が接続され、音声データとＩＰパケットの変換を行う。
【０００８】
ＶｏＩＰ電話端末Ａ（５）の制御回路（５１）はＲＯＭとＲＡＭを有するメモリ（５２）に書き込まれたプログラムにより各部を制御する。また、メモリ（５２）は制御回路（５１）の動作に必要な情報を記憶する。スピーカ（ＳＰ）（５３）は着信を鳴動で報知する。入力部（５４）は通話や設定などの操作を行う。表示部（５５）は通話や設定などに係る情報を表示する。
【０００９】
ＶｏＩＰ電話端末Ｂ（６）、ＶｏＩＰ電話端末Ｃ（７）、ＶｏＩＰ電話端末Ｄ（８）とＶｏＩＰ電話端末Ｅ（９）はＶｏＩＰ電話端末Ａ（５）と同じ構成であり、端末としての設定（例えば、図３に示す主番号や副番号）が異なる。
【００１０】
図２はＶｏＩＰ電話端末Ａ（５）の表示を示す図である。図２に示す如く、表示部（５５）の右方は６行に区分され、上３行には内線電話番号、下３行にはワンタッチ電話番号が示される。そして、夫々の行に対応して夫々ラインキー（Ｌ１）（Ｌ２）（Ｌ３）（Ｌ４）（Ｌ５）（Ｌ６）が配設される。表示部（５５）の左方は入力された文字や情報を表示する。また、表示部（５５）の下方には４つのファンクションキー（Ｆ１）（Ｆ２）（Ｆ３）（Ｆ４）が配設され、夫々のファンクションキー（Ｆ１）（Ｆ２）（Ｆ３）（Ｆ４）に対応した位置に夫々の機能を示す文字が表示部（５５）に表示される。
【００１１】
全ＶｏＩＰ電話端末には夫々異なる主番号が付けられている。更に、共有グループとして副番号が付けられる。本実施例では、図３に示す如く、ＶｏＩＰ電話端末Ａ（５）からＶｏＩＰ電話端末Ｅ（９）まで夫々異なる主番号４１０１から４００５までが付けられる。副番号４１００はＶｏＩＰ電話端末Ａ（５）からＶｏＩＰ電話端末Ｃ（７）まで付けられる。副番号４２００はＶｏＩＰ電話端末Ｃ（７）からＶｏＩＰ電話端末Ｅ（９）まで付けられる。
【００１２】
図３に示す如く、主番号に着信があった場合はその主番号が付けられたＶｏＩＰ電話端末のみ鳴動する。副番号に着信があった場合はその副番号が付けられたＶｏＩＰ電話端末のみ鳴動する。
【００１３】
副番号に着信があった場合、例えば、図１の加入者電話装置（以降、外線という）から副番号４２００に着信があった場合は、鳴動するＶｏＩＰ電話端末Ｃ，Ｄ，Ｅ（７）（８）（９）がその着信に応答して外線と通話することができる。
【００１４】
また、同一ＬＡＮに接続される鳴動していないＶｏＩＰ電話端末Ａ、Ｂ（５）（６）もこの着信に応答することができる。これをＳＩＰではCall Pickupと称し、そのフローを図４に示す。外線（０３−３１２３−４５６７）から内線の副番号４２００に着信があると、ＶｏＩＰ電話端末Ｃ，Ｄ，Ｅ（７）（８）（９）にセッション確立要求をするＩＮＶＩＴＥ信号が送信される（Ｆ１）。これにより、ＶｏＩＰ電話端末Ｃ，Ｄ，Ｅ（７）（８）（９）が鳴動する。
【００１５】
この着信を鳴動していないＶｏＩＰ電話端末Ａ（５）で応答するには二つの方法ある。一つは従来より行われている方法であり、着信中の副番号を入力した後にＰＩＣＫＵＰキー（Ｆ２）を押してピックアップする。もう一つは、本願発明の方法であり、着信中の副番号が付けられたＶｏＩＰ電話端末の主番号を入力した後にＰＩＣＫＵＰキー（Ｆ２）を押してピックアップする。
【００１６】
ここでは、本願発明の方法を説明する。ＶｏＩＰ電話端末Ａ（５）の使用者は鳴動しているＶｏＩＰ電話端末Ｃ（７）が何の着信番号で鳴動しているかはわからない。これをしるには、離れた位置にあるＶｏＩＰ電話端末Ｃ（７）の表示部を見なければならない。しかしながら、ＶｏＩＰ電話端末Ａ（５）の使用者はＶｏＩＰ電話端末Ｃ（７）の主番号４００３を知っている。そこで、ＶｏＩＰ電話端末Ａ（５）は鳴動しているＶｏＩＰ電話端末Ｃ（７）の主番号４００３を入力した後にＰＩＣＫＵＰキー（Ｆ２）を押してピックアップする。これにより、ＶｏＩＰ電話端末Ａ（５）からＶｏＩＰ電話端末Ｃ（７）に、着信の応答に必要な着信呼の呼情報の送信を求めるSUBSCRIBE信号（図５参照）が送信される（Ｆ３）。
【００１７】
これを受信したＶｏＩＰ電話端末Ｃ（７）から鳴動しているＶｏＩＰ電話端末Ａ（５）に、副番号４２００への着信呼の呼情報をのせたNOTFY信号が送信（図６参照）される（Ｆ５）。そして、ＶｏＩＰ電話端末Ａ（５）から外線に着信の接続変更を要求するINVITE信号が送信され（Ｆ７）、外線からＶｏＩＰ電話端末Ｃ（７）にセッション確立要求をキャンセルするCANCEL信号が送信される（Ｆ９）。そして、該線の電話装置とＶｏＩＰ電話端末Ａ（５）が通話状態になる。
【産業上の利用可能性】
【００１８】
本発明は、ＳＩＰの呼制御を行うＶｏＩＰ電話システム等、共有グループの副番号の着信をピックアップするグループ電話システムに利用することができる。
【図面の簡単な説明】
【００１９】
【図１】本発明のＶｏＩＰ電話システムの構成を示すブロック図である。
【図２】ＶｏＩＰ電話端末の表示部を示す図である。
【図３】各ＶｏＩＰ電話端末に付けられた番号と鳴動動作を示す図である。
【図４】Call Pickupのフローを示す図である。
【図５】図４におけるSUBSCRIBE信号を示す図である。
【図６】図４におけるNOTIFY信号を示す図である。
【符号の説明】
【００２０】
５  ＶｏＩＰ電話装置Ａ
１１  加入者電話装置（外線）
５３  ＳＰ（スピーカ）
【図１】
2005110099.tif 000003
【図２】
2005110099.tif 000004
【図３】
2005110099.tif 000005
【図４】
2005110099.tif 000006
【図５】
2005110099.tif 000007
【図６】
2005110099.tif 000008